(57)【特許請求の範囲】
【請求項１】
第１のセルグループを用いる第１の基地局装置と第２のセルグループを用いる第２の基地局装置と通信する端末装置であって、
前記第２のセルグループの設定として、前記第２のセルグループに対するランダムアクセスの実行を指示する情報要素であって、前記ランダムアクセスに用いられるプリアンブルと、前記第２のセルグループに対するランダムアクセスに関するＲＲＣタイマとが含まれる前記情報要素を含むＲＲＣメッセージを受信する受信部と、
前記第２のセルグループに対する前記プリアンブルを用いて前記ランダムアクセスを実行し、前記ＲＲＣタイマの計時をスタートし、前記ランダムアクセスの結果の通知を待たずに前記ＲＲＣメッセージに対する応答メッセージを、前記第１のセルグループの１つのセルを用いて送信する送信部と、
を備え、
前記ＲＲＣメッセージに含まれる前記情報要素を受信しない場合、
前記送信部は、前記第２のセルグループに対する前記ランダムアクセスを実行せずに前記応答メッセージを、前記第１のセルグループの前記セルを用いて送信する
端末装置。
【請求項２】
第１のセルグループを用いる第１の基地局装置と第２のセルグループを用いる第２の基地局装置と通信する端末装置に用いられる通信方法であって、
前記第２のセルグループの設定として、前記第２のセルグループに対するランダムアクセスの実行を指示する情報要素であって、前記ランダムアクセスに用いられるプリアンブルと、前記第２のセルグループに対するランダムアクセスに関するＲＲＣタイマとが含まれる前記情報要素を含むＲＲＣメッセージを受信する受信過程と、
前記第２のセルグループに対する前記プリアンブルを用いて前記ランダムアクセスを実行し、前記ＲＲＣタイマの計時をスタートし、前記ランダムアクセスの結果の通知を待たずに、前記ＲＲＣメッセージに対する応答メッセージを、前記第１のセルグループの１つのセルを用いて送信する送信過程と、
を有し、
前記ＲＲＣメッセージに含まれる前記情報要素を受信しない場合、
前記送信過程は、前記第２のセルグループに対する前記ランダムアクセスを実行せずに前記応答メッセージを、前記第１のセルグループの前記セルを用いて送信する
通信方法。
【発明の詳細な説明】
【技術分野】
【０００１】
本発明は、効率的な通信制御を行う端末装置、基地局装置、通信システム、通信方法および集積回路の技術に関する。
本願は、２０１４年３月１９日に、日本に出願された特願２０１４−０５６０３５号に基づき優先権を主張し、その内容をここに援用する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。【０００３】
また、３ＧＰＰでは、より高速なデータ伝送を実現するＡｄｖａｎｃｅｄ  ＥＵＴＲＡの検討を行っている（ＬＴＥ  Ａｄｖａｎｃｅｄとも称する）。ＥＵＴＲＡでは、基地局装置がほぼ同一のセル構成（セルサイズ）から成るネットワークを前提とした通信システムであったが、Ａｄｖａｎｃｅｄ  ＥＵＴＲＡでは、異なる構成の基地局装置（セル）が同一のエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。【０００４】
ヘテロジニアスネットワークのように、セル半径の大きいセル（マクロセル）と、セル半径がマクロセルよりも小さいセル（スモールセル）とが配置される通信システムにおいて、端末装置が、マクロセルとスモールセルとそれぞれ接続して通信を行う技術（Ｄｕａｌ  Ｃｏｎｎｅｃｔｉｖｉｔｙ（デュアルコネクティビティ、双対接続性））について検討されている（非特許文献１）。【０００５】
例えば、複数の基地局装置と接続するデュアルコネクティビティにおいては、マクロセルの基地局装置とスモールセルの基地局装置との両方で動的なリソース割り当て機能を持たせることが検討されている。更に、動的なリソース割り当て機能を持つ複数の基地局装置（マクロセルの基地局装置、スモールセルの基地局装置）との通信を効率よく行うため、端末装置において、データリンク層（ＭＡＣ層、ＲＬＣ層、ＰＤＣＰ層など）の機能を基地局装置毎に備えるように端末装置のプロトコルを拡張することが検討されている。【０００６】
また、端末装置において、マクロセルとの基地局装置とのみ無線リソース制御メッセージ（ＲＲＣメッセージ）の送受信がサポートされることが検討されている。また、端末装置において、スモールセルの基地局装置と端末装置が通信を開始する場合に、同期の確認のためにスモールセルの基地局装置に対してランダムアクセス手順が必要であることが検討されている。【０００７】
非特許文献２では、デュアルコネクティビティを適用した端末装置が、スモールセルの基地局装置との通信を開始する場合のランダムアクセス手順について説明されている。非特許文献２において、従来の端末装置は上りリンクデータとしてＲＲＣメッセージが生成されることによってランダムアクセス手順がトリガされていたのに対し、デュアルコネクティビティを適用する端末装置はＲＲＣメッセージの生成によってスモールセルに対するランダムアクセス手順が開始されないことが指摘されている。【０００８】
すなわち、デュアルコネクティビティを適用する端末装置は、スモールセルの基地局装置に対してＲＲＣメッセージを送信しないため、送信データとしてＲＲＣメッセージが生成されたとしても、かかるＲＲＣメッセージはスモールセルに対する送信バッファとしてみなされないためにバッファステータスレポート（ＢＳＲ）がトリガされず、その結果、スケジューリングリクエストのためのランダムアクセス手順がスモールセルに対して開始されないことが指摘されている。
【先行技術文献】
【非特許文献】
【０００９】
【非特許文献１】Ｒ２−１４０９０６，ＮＴＴ  ＤＯＣＯＭＯ，  ＩＮＣ．，３ＧＰＰ  ＴＳＧ  ＲＡＮ２＃８５，Ｐｒａｇｕｅ，  Ｃｚｅｃｈ，  Ｆｅｂｒｕａｒｙ  １０ｔｈ  −  １４ｔｈ，  ２０１４．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８５／Ｄｏｃｓ／
【非特許文献２】Ｒ２−１４０２４６，  Ｓａｍｓｕｎｇ，３ＧＰＰ  ＴＳＧ  ＲＡＮ２＃８５，Ｐｒａｇｕｅ，  Ｃｚｅｃｈ，  Ｆｅｂｒｕａｒｙ  １０ｔｈ  −  １４ｔｈ，  ２０１４．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８５／Ｄｏｃｓ／
【発明の概要】
【発明が解決しようとする課題】
【００１０】
非特許文献２では、スモールセルに対するランダムアクセス手順の開始として、送信バッファの報告（Ｒｅｇｕｌａｒ  ＢＳＲ）に伴うランダムアクセス手順を行うことを提案し、そのための方法の一例として、事前に送信データをスモールセル側に転送しておく方法が示されている。【００１１】
しかしながら、スモールセル側の送信バッファの発生によってランダムアクセス手順を開始することは、次のような問題が発生することが予測される。例えば、端末装置において、スモールセルに対して送信すべき上りリンクデータが発生するまでランダムアクセス手順が開始されないという問題がある。これは、スモールセルの基地局装置において、端末装置がスモールセルの追加手順を正しく完了したかどうかが確認できない状態、すなわち、通信を開始できない状態が発生するため、無線リソースを効率的に利用できない可能性があることを意味する。【００１２】
また、ランダムアクセス手順に必要なパラメータを基地局装置から端末装置に割り当てる場合に、かかるパラメータを適用したランダムアクセス手順の開始タイミングが不明であるという別の問題がある。これは、端末装置が必要としない場合であっても、基地局装置がランダムアクセス手順に関する無線リソースを割り当てることによって、無線リソースを効率的に利用できない可能性があることを意味する。【００１３】
本発明は、効率的な通信制御を行う端末装置、基地局装置、通信システム、通信方法および集積回路に関する技術を提供することによって上記の課題の少なくとも１つを解決することを目的とする。
【課題を解決するための手段】
【００１４】
上記の目的を達成するために以下のような手段を講じた。すなわち、本発明における端末装置は、第１のセルグループと第２のセルグループとを用いて基地局装置と接続する端末装置であって、前記基地局装置から受信した無線リソース制御メッセージで通知される情報要素に基づいて少なくとも一つのセルを含む前記第２のセルグループを変更する場合に、前記第２のセルグループの前記セルに対するランダムアクセス手順に関するＲＲＣタイマーの計時を開始して、前記ランダムアクセスを実行する端末装置である。【００１５】
また、本発明における端末装置において、前記セルに対する前記ランダムアクセス手順が成功した場合に、前記ＲＲＣタイマーの計時を停止し、前記セルに対する上りリンクの物理チャネルと上りリンクの物理シグナルに関する設定を適用する。【００１６】
また、本発明における端末装置は、前記セルに対する前記ランダムアクセス手順に問題が発生したこと示す情報が通知されたときに、前記セルに対する前記ランダムアクセス手順を終了する端末装置である。【００１７】
また、本発明における端末装置は、前記第２のセルグループはプライマリセカンダリセルを含むセカンダリセルグループであり、前記ＲＲＣタイマーが満了した場合に、前記セルに対する前記ランダムアクセス手順を終了する。【００１８】
また、本発明における基地局装置は、第１のセルグループと第２のセルグループとを用いる端末装置と接続し、前記端末装置に対する前記第２のセルグループの設定手順において、前記第２のセルグループのセルに対するランダムアクセスに関する設定と、前記第２のセルグループの前記セルに対するランダムアクセス手順において計時されるＲＲＣタイマーに関する設定を含む情報要素を無線リソース制御メッセージに設定し、前記無線リソース制御メッセージを前記端末装置に送信し、前記第２のセルグループの前記セルに対する前記ランダムアクセス手順を前記端末装置に実行させる基地局装置である。【００１９】
また、本発明における基地局装置は、前記ＲＲＣタイマーが満了するまで前記第２のセルグループの前記セルに対して実行される前記ランダムアクセス手順の成功の通知を待つ。【００２０】
また、本発明における基地局装置は、前記端末装置に対し、前記第２のセルグループの前記セルに対する同期手順を行わせる場合に、前記ランダムアクセスに関する設定と、前記ＲＲＣタイマーに関する設定を含む情報要素を無線リソース制御メッセージに設定し、前記無線リソース制御メッセージを前記第１のセルグループのセルで送信する基地局装置である。【００２１】
また、本発明における通信システムは、第１のセルグループと第２のセルグループとを用いて端末装置と基地局装置が接続する通信システムであって、前記基地局装置は、前記端末装置に対する前記第２のセルグループの設定手順において、前記第２のセルグループのセルに対するランダムアクセスに関する設定と、前記第２のセルグループの前記セルに対するランダムアクセス手順において計時されるＲＲＣタイマーに関する設定を含む情報要素を無線リソース制御メッセージに設定し、前記無線リソース制御メッセージを前記端末装置に送信し、前記端末装置は、前記無線リソース制御メッセージを受信し、受信した前記無線リソース制御メッセージに基づいて少なくとも一つのセルを含む前記第２のセルグループを変更する場合に、前記ランダムアクセス手順に関するＲＲＣタイマーの計時を開始して、前記ランダムアクセス手順を実行する通信システムである。【００２２】
また、第１のセルグループと第２のセルグループとを用いて基地局装置と接続する端末装置の通信方法であって、前記基地局装置から無線リソース制御メッセージを受信するステップと、前記無線リソース制御メッセージで通知される情報要素に基づいて少なくとも一つのセルを含む前記第２のセルグループを変更する場合に、前記第２のセルグループの前記セルに対するランダムアクセス手順に関するＲＲＣタイマーの計時を開始して、前記ランダムアクセスを実行するステップを、少なくとも備える通信方法である。【００２３】
また、本発明における通信方法は、基地局装置の通信方法であって、第１のセルグループと第２のセルグループとを用いる端末装置と接続するステップと、前記端末装置に対する前記第２のセルグループの設定手順において、前記第２のセルグループのセルに対するランダムアクセスに関する設定と、前記第２のセルグループの前記セルに対するランダムアクセス手順において計時されるＲＲＣタイマーに関する設定を含む情報要素を無線リソース制御メッセージに設定するステップと、前記情報要素に基づいて前記第２のセルグループの前記セルに対する前記ランダムアクセス手順を前記端末装置に実行させるために前記無線リソース制御メッセージを前記端末装置に送信するステップを、少なくとも備える通信方法である。【００２４】
また、本発明における集積回路は、第１のセルグループと第２のセルグループとを用いて基地局装置と接続する端末装置に実装される集積回路であって、前記基地局装置から無線リソース制御メッセージを受信する機能と、前記無線リソース制御メッセージで通知される情報要素に基づいて少なくとも一つのセルを含む前記第２のセルグループを変更する場合に、前記第２のセルグループの前記セルに対するランダムアクセス手順に関するＲＲＣタイマーの計時を開始して、前記ランダムアクセスを実行する機能とを、少なくとも前記端末装置に対して発揮させる集積回路である。【００２５】
また、本発明における集積回路は、基地局装置に実装される集積回路であって、第１のセルグループと第２のセルグループとを用いる端末装置と接続する機能と、前記端末装置に対する前記第２のセルグループの設定手順において、前記第２のセルグループのセルに対するランダムアクセスに関する設定と、前記第２のセルグループの前記セルに対するランダムアクセス手順において計時されるＲＲＣタイマーに関する設定を含む情報要素を無線リソース制御メッセージに設定する機能と、前記情報要素に基づいて前記第２のセルグループの前記セルに対する前記ランダムアクセス手順を前記端末装置に実行させるために前記無線リソース制御メッセージを前記端末装置に送信する機能とを、前記基地局装置に対して少なくとも発揮させる集積回路である。【００２６】
本明細書では、効率的な通信制御を行う端末装置、基地局装置、通信システム、通信方法および集積回路に関する技術という点において各実施形態を開示するが、各実施形態に対して適用可能な通信方式は、ＥＵＴＲＡまたはＡｄｖａｎｃｅｄ  ＥＵＴＲＡのようにＥＵＴＲＡと互換性のある通信方式に限定されるものではない。【００２７】
例えば、本明細書で述べられる技術は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、およびその他のアクセス方式等を用いた、種々の通信システムにおいて使用され得る。また、本明細書において、システムとネットワークは同義的に使用され得る。
【発明の効果】
【００２８】
本発明によれば、効率的な通信制御を行う端末装置、基地局装置、通信システム、通信方法および集積回路に関する技術を提供することが出来る。
【図面の簡単な説明】
【００２９】
【図１】本発明の実施形態に係る端末装置の概略構成の一例を示すブロック図である。
【図２】本発明の実施形態に係る基地局装置の概略構成の一例を示すブロック図である。
【図３】本発明の第１の実施形態に係るセカンダリセルグループの設定手順に関するシーケンスチャート図の一例を示したものである。
【図４】本発明の第１の実施形態に係る端末装置のＲＲＣ層におけるＲＲＣ接続再設定手順の一例について示したフローチャート図である。
【図５】本発明の第１の実施形態に係る端末装置のＲＲＣ層における上りリンク同期手順の詳細を示したフローチャート図である。
【図６】本発明の第１の実施形態に係る端末装置のＲＲＣ層におけるＲＲＣ接続再設定手順の一例について示したフローチャート図である
【図７】デュアルコネクティビティの基本構造について説明するための図である。
【発明を実施するための形態】
【００３０】
本発明の各実施形態に関わる技術について以下に簡単に説明する。
[物理チャネル／物理シグナル]
ＥＵＴＲＡおよびＡｄｖａｎｃｅｄ  ＥＵＴＲＡで使用される主な物理チャネル、物理シグナルについて説明を行なう。チャネルとは信号の送受信に用いられる媒体を意味し、物理チャネルとは信号の送受信に用いられる物理的な媒体を意味する。本発明において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本発明の各実施形態の説明には影響しない。
【００３１】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００３２】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。端末装置は、セルサーチによって受信した同期シグナルの物理セルＩＤを特定する。
【００３３】
物理報知情報チャネル（PBCH; Physical Broadcast Channel）は、セル内の端末装置で共通に用いられる制御パラメータ（報知情報（システム情報）；System information）を通知（設定）する目的で送信される。物理報知情報チャネルで通知されない報知情報は、物理下りリンク制御チャネルで報知情報が送信される無線リソースがセル内の端末装置に対して通知され、通知された無線リソースにおいて、物理下りリンク共用チャネルによって報知情報を通知するレイヤ３メッセージ（システムインフォメーション）が送信される。
【００３４】
報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報、送信タイミング調整情報、当該セルにおける共通無線リソース設定情報、周辺セル情報、上りリンクアクセス制限情報などが通知される。
【００３５】
下りリンクリファレンスシグナルは、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと一緒に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００３６】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）またはＤｅｄｉｃａｔｅｄ  ＲＳ（ＤＲＳ）と称され、物理下りリンク制御チャネル、拡張物理下りリンク制御チャネル、または物理下りリンク共用チャネルを復調するときのチャネルの伝搬路補償処理のために参照される。
【００３７】
物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３８】
端末装置は、下りリンクデータや下りリンク制御データであるレイヤ２メッセージおよびレイヤ３メッセージ（ページング、ハンドオーバーコマンドなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００３９】
物理上りリンク制御チャネル（PUCCH; Physical Uplink Control Channel）は、物理下りリンク共用チャネルで送信された下りリンクデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００４０】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記されてもよい。
【００４１】
物理下りリンク共用チャネル（PDSCH; Physical Downlink Shared Channel）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００４２】
物理上りリンク共用チャネル（PUSCH; Physical Uplink Shared Channel）は、主に上りリンクデータと上りリンク制御データを送信し、ＣＳＩやＡＣＫ／ＮＡＣＫなどの制御データを含めることも可能である。また、上りリンクデータの他、上りリンク制御情報をレイヤ２メッセージおよびレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００４３】
上りリンクリファレンスシグナル（上りリンク参照信号；Uplink Reference Signal（上りリンクパイロット信号、上りリンクパイロットチャネルとも呼称する））は、基地局装置が、物理上りリンク制御チャネルＰＵＣＣＨおよび／または物理上りリンク共用チャネルＰＵＳＣＨを復調するために使用する復調参照信号（ＤＭＲＳ；Demodulation Reference Signal）と、基地局装置が、主に、上りリンクのチャネル状態を推定するために使用するサウンディング参照信号（ＳＲＳ；Sounding Reference Signal）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４４】
物理ランダムアクセスチャネル（PRACH; Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４５】
端末装置は、物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００４６】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータを取り扱うプロトコルのことをユーザ平面（ＵＰ（Ｕｓｅｒ−ｐｌａｎｅ、Ｕ−Ｐｌａｎｅ））と称する。
【００４７】
なお、それ以外の物理チャネルまたは物理シグナルは、本発明の各実施形態に関わらないため詳細な説明は省略する。説明を省略した物理チャネルまたは物理シグナルとして、物理制御フォーマット指示チャネル（PCFICH：Physical control format indicator channel）、物理ＨＡＲＱ指示チャネル（PHICH：Physical hybrid ARQ indicator channel）、物理マルチキャストチャネル（PMCH：Physical multicast channel）などがある。
【００４８】
[無線ネットワーク、セル種別]
基地局装置によって制御される各周波数の通信可能範囲（通信エリア）はセルとしてみなされる。このとき、基地局装置がカバーする通信エリアは周波数毎にそれぞれ異なる広さ、異なる形状であってもよい。また、カバーするエリアが周波数毎に異なっていてもよい。基地局装置の種別やセル半径の大きさが異なるセルが、同一の周波数または異なる周波数のエリアに混在して一つの通信システムを形成している無線ネットワークのことを、ヘテロジニアスネットワークと称する。
【００４９】
端末装置は、セルの下りリンクが通信に適した受信品質にある場合、かかるセルの通信エリア（in-coverage）であるとみなしてよい。端末装置が、在圏しているセルから別のセルへ移動するときは、非無線リソース接続状態（アイドル状態、非通信中）はセル再選択手順、無線リソース接続時（接続状態、通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００５０】
基地局装置は端末装置が通信可能なエリアであるセルを周波数毎に１つ以上管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。スモールセルは、一般的に半径数メートルから数十メートルまでをカバーするセルである。また、スモールセルは、そのエリアの大きさに応じて、フェムトセル、ピコセル、ナノセルなどに分類されることもある。
【００５１】
端末装置がある基地局装置と通信可能であるとき、その基地局装置のセルのうち、端末装置との通信に使用されるように設定されているセルは在圏セル（Serving cell）であり、その他の通信に使用されないセルは周辺セル（Neighboring cell）と称される。
【００５２】
また、端末装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。キャリア・アグリゲーションにおいて、コンポーネントキャリアとして、上りリンクに対応する上りリンクコンポーネントキャリアと、下りリンクに対応する下りリンクコンポーネントキャリアとがある。本明細書において、周波数と周波数帯域は同義的に使用され得る。
【００５３】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００５４】
また、端末装置と基地局装置は、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であってもよく、集約する周波数帯域幅が各々異なっていてもよい。周波数帯域幅は、後方互換性を考慮して従来のセルの周波数帯域幅のいずれかと等しいことが望ましいが、従来のセルの周波数帯域と異なる周波数帯域幅を用いてもよい。
【００５５】
キャリア・アグリゲーションによって、後方互換性のないコンポーネントキャリア（キャリアタイプ）を集約してもよい。この後方互換性のないコンポーネントキャリアのことを、ニューキャリアタイプ（ＮＣＴ）とも称する。また、異なる通信方式の周波数バンド、例えば、ＦＤＤバンドとＴＤＤバンドのコンポーネントキャリアをそれぞれ集約してもよい。なお、基地局装置が端末装置に割り当てる（設定する、追加する）上りリンクコンポーネントキャリアの数は、下りリンクコンポーネントキャリアの数と同じか少ないことが望ましい。
【００５６】
端末装置と基地局装置は、ある上りリンクコンポーネントキャリアと、かかる上りリンクコンポーネントキャリアとセル固有接続される下りリンクコンポーネントキャリアから構成されるセルを、プライマリセル（ＰＣｅｌｌ：Ｐｒｉｍａｒｙ  ｃｅｌｌ）として管理する。また、端末装置と基地局装置は、プライマリセル以外のコンポーネントキャリアから構成されるセルを、セカンダリセル（ＳＣｅｌｌ：Ｓｅｃｏｎｄａｒｙ  ｃｅｌｌ）として管理する。
【００５７】
端末装置は、プライマリセルにおいて、ページングメッセージの受信、報知情報の更新の検出、初期アクセス手順、セキュリティ情報の設定などを行う一方、セカンダリセルではこれらを行わないでもよい。プライマリセルとセカンダリセルとを合わせてサービングセル（在圏セル）と称する。
【００５８】
プライマリセルは活性化（アクティベーション（Ａｃｔｉｖａｔｉｏｎ））および不活性化（ディアクティベーション（Ｄｅａｃｔｉｖａｔｉｏｎ））の制御の対象外であるが（つまり、プライマリセルは必ず活性化しているとみなされる）、セカンダリセルは活性化と不活性化というアクティビティに応じたセルの状態（ｓｔａｔｅ）を持つ。セルの状態に関し、活性化されている状態をＡｃｔｉｖａｔｅｄ  ｓｔａｔｅ、不活性化されている状態をＤｅａｃｔｉｖａｔｅｄ  ｓｔａｔｅとも称する。セル（セカンダリセル）の状態は、基地局装置から明示的に状態の変更が指定（通知、指示）される場合もあるし、コンポーネントキャリア（セカンダリセル）毎に端末装置が計時するタイマー情報（セカンダリセル不活性化タイマー；ディアクティベーションタイマー）に基づいて状態が変更される場合もある。
【００５９】
セカンダリセルの活性化および／または不活性化に関する制御について説明する。基地局装置は、端末装置に対し、セカンダリセルの活性化および／または不活性化を示すコマンドを通知する。かかるコマンドは、ＭＡＣ層でデコード（エンコード）されるＭＡＣ  ＰＤＵ（Protocol data unit、データユニット）に含まれるＭＡＣ制御要素（ＭＡＣ−ＣＥ：MAC control element）として端末装置に送信される。
【００６０】
なお、キャリア・アグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されてもよい。すなわち、本発明の各実施形態の基地局装置は、リレー局装置に置き換えることも出来る。
【００６１】
[デュアルコネクティビティ]
図７を用いてデュアルコネクティビティの基本構造（アーキテクチャー）について説明する。図７は、端末装置１が、複数の基地局装置２（例えば図中の基地局装置２−１、基地局装置２−２）と接続していることを示している。基地局装置２−１は少なくとも一つのマクロセルを構成する基地局装置であり、基地局装置２−２は少なくとも一つのスモールセルを構成する基地局装置であるとする。
【００６２】
図７において、基地局装置２−１または基地局装置２−２は、ＭＭＥ（Ｍｏｂｉｌｉｔｙ  Ｍａｎａｇｅｍｅｎｔ  Ｅｎｔｉｔｙ）とＳＧＷ（Ｓｅｒｖｉｎｇ  Ｇａｔｅｗａｙ）とバックボーン回線で接続されている。ＭＭＥはコアネットワークにおける制御局装置の一つであり、端末装置１の移動性管理や認証制御（セキュリティ制御）および基地局装置２に対するユーザデータの経路を設定する役割などを持つ。ＳＧＷはコアネットワークにおける制御局装置の一つであり、ＭＭＥによって設定された端末装置１へのユーザデータの経路に従ってユーザデータを伝送する役割などを持つ。
【００６３】
また、基地局装置２−１または基地局装置２−２とＳＧＷ接続経路は、Ｓ１−Ｕインターフェースと称される。基地局装置２−１とＭＭＥの接続経路はＳ１−ＭＭＥインターフェースと称される。基地局装置２−１と基地局装置２−２の接続経路（基地局インターフェースＮ１０）は、ＥＵＴＲＡにおいてＸ２インターフェースとも称される。デュアルコネクティビティにおいて、基地局装置２−２を経由したＭＭＥと端末装置１との接続経路は設定されない。
【００６４】
ＭＭＥと接続される第１の基地局装置（基地局装置２−１）をマスター基地局装置（Ｍａｓｔｅｒ  ｅＮＢ）とも称し、マスター基地局装置ではないが端末装置１との通信に使用される第２の基地局装置（基地局装置２−２）をセカンダリ基地局装置（Ｓｅｃｏｎｄａｒｙ  ｅＮＢ）とも称する。端末装置１とマスター基地局装置との接続に用いるセルのグループをマスターセルグループ（Ｍａｓｔｅｒ  Ｃｅｌｌ  Ｇｒｏｕｐ、ＭＣＧ）とも称し、端末装置１とセカンダリ基地局装置との接続に用いるセルのグループをセカンダリセルグループ（Ｓｅｃｏｎｄａｒｙ  Ｃｅｌｌ  Ｇｒｏｕｐ、ＳＣＧ）とも称する。
【００６５】
また、ＭＣＧに属するセルのことをＭＣＧセルとも称し、ＳＣＧに属するセルをＳＣＧセルとも称する。また、ＳＣＧセルのうち、物理上りリンク制御チャネルＰＵＣＣＨが設定され、プライマリセルに近い役割を果たすＳＣＧセルの中でも特別なＳＣＧセルのことをプライマリセカンダリセル（Ｐｒｉｍａｒｙ  ＳＣｅｌｌ（ＰＳＣｅｌｌ）、またはスペシャルセカンダリセル）とも称する。
【００６６】
例えば、プライマリセカンダリセルは、プライマリセルと同様に非活性化されず、物理上りリンク制御チャネルの設定がなされたり、コンテンションベースのランダムアクセス手順が実行されたりするセルである。なお、プライマリセカンダリセルは、プライマリセルやセカンダリセルと同様に、在圏セルとみなされる。
【００６７】
このように、端末装置１が、複数の基地局装置２に属する複数のセルを用いて接続することをデュアルコネクティビティと称し、デュアルコネクティビティを実現するための技術を用いて端末装置１と複数の基地局装置２とが接続することを、「デュアルコネクティビティを用いる」、「デュアルコネクティビティによる接続」、またはこれらと同義の表現を用いて説明する。各基地局装置２に属するセルは同じ周波数で運用されていてもよいし、異なる周波数で運用されていてもよい。
【００６８】
なお、キャリア・アグリゲーションは、複数のセルを一つの基地局装置２が管理する点、および、複数のセル間が遅延の影響を考慮する必要がない高速なバックボーン回線である点が、少なくともデュアルコネクティビティによる接続とは異なる。換言すると、キャリア・アグリゲーションは、一つの端末装置１と一つの基地局装置２とを、複数のセルを介して接続させる技術であるのに対し、デュアルコネクティビティは、一つの端末装置１と複数の基地局装置２とを、複数の基地局装置２のそれぞれのセルを介して接続させる技術である。
【００６９】
端末装置１と基地局装置２は、キャリア・アグリゲーションに適用される技術を、デュアルコネクティビティに対して適用することができる。例えば、端末装置１と基地局装置２は、プライマリセルおよびセカンダリセルの管理（追加、削除、変更など）、キャリア・アグリゲーションに対応した測定方法および測定イベント設定、活性化／不活性化などの技術をデュアルコネクティビティにより接続されるセルに対して適用してもよい。
【００７０】
本技術はデュアルコネクティビティという名称で呼ばれるが、端末装置１と接続される基地局装置２の数が２つまでに限定されるというわけではなく、３つ以上の基地局装置２と接続することも可能である。
【００７１】
[バッファステータスレポート]
端末装置のＭＡＣ層は、論理チャネルに対応する送信バッファのデータ量の情報を用いて基地局装置に通知（報告）する機能を持っている。この機能をバッファステータスレポート（Buffer Status Report：ＢＳＲ）と呼ぶ。ＢＳＲは、例えば、（１）送信可能な上りリンクデータが上位レイヤ（ＲＬＣ層、ＰＤＣＰ層）で発生し、更に、かかる上りリンクデータに関わる論理チャネルの優先度が送信バッファ内のデータの優先度よりも高い、または、他に送信可能な上りリンクデータが存在ない場合、（２）ＢＳＲに関する再送信タイマーが満了した場合、（３）ＢＳＲに関する周期的なタイマーが満了した場合、（４）ＢＳＲのＭＡＣ制御要素よりも大きいパディングビット（パディング領域）が存在する場合、にそれぞれＭＡＣ層でトリガされる。
【００７２】
いずれかのＢＳＲのトリガ条件が満たされている場合であって、あるサブフレームにおいてＢＳＲを通知するための無線リソース（物理上りリンク共用チャネルＰＵＳＣＨの新規送信）が割り当てられていない場合、ＭＡＣ層は、物理上りリンク制御チャネルＰＵＣＣＨが割り当てられている（有効である）のであれば、物理上りリンク制御チャネルＰＵＣＣＨを使用してスケジューリングリクエストを送信するようにＰＨＹ層に指示する。
【００７３】
あるいは、ＭＡＣ層は、スケジューリングリクエスト送信のための物理上りリンク制御チャネルＰＵＣＣＨが割り当てられていない（有効でない）のであれば、スケジューリングリクエストのためのランダムアクセス手順を開始し、物理ランダムアクセスチャネルＰＲＡＣＨの送信をＰＨＹ層に対して指示する。なお、ＭＡＣ層は、無線リソースが割り当てられるまで、ＢＳＲをトリガ中の状態に維持しておく。トリガされたＢＳＲは、ＢＳＲを基地局装置に送信する場合にキャンセルされる。
【００７４】
ＢＳＲは、そのトリガ条件によって、Ｒｅｇｕｌａｒ  ＢＳＲ、Ｐｅｒｉｏｄｉｃ  ＢＳＲ、Ｐａｄｄｉｎｇ  ＢＳＲにそれぞれ分類される。上述した条件（１）と（２）によってトリガされたＢＳＲはＲｅｇｕｌａｒ  ＢＳＲであり、上述した条件（３）によってトリガされたＢＳＲはＰｅｒｉｏｄｉｃ  ＢＳＲであり、上述した条件（４）によってトリガされたＢＳＲはＰａｄｄｉｎｇ  ＢＳＲである。
【００７５】
ＢＳＲは、ＭＡＣ制御要素を用いて報告される。ＢＳＲが報告されるＭＡＣ制御要素のフォーマット（ビット構造）には、１つの論理チャネルグループのバッファ状態を報告するＳｈｏｒｔ  ＢＳＲと、複数の論理チャネルグループのバッファ状態を報告するＬｏｎｇ  ＢＳＲがある。また、Ｐａｄｄｉｎｇ  ＢＳＲの送信に関し、Ｌｏｎｇ  ＢＳＲを送信するに十分なパディング領域が存在しない場合は、優先度の最も高い論理チャネルのＢＳＲを送信するためのＴｒｕｎｃａｔｅｄ  ＢＳＲのフォーマットが使用される。
【００７６】
なお、各実施形態で用いる「接続」とは、ある装置と別のある装置とを、物理的な回線を用いて直接接続される構成にだけ限定されるわけではなく、論理的に接続される構成や、無線技術を用いて無線接続される構成、一つまたは複数の他の装置を経由して（リレーして）接続される構成を含む。
【００７７】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００７８】
＜第１の実施形態＞
本発明の第１の実施形態について以下に説明する。
【００７９】
図１は、本発明の第１の実施形態による端末装置１の一例を示すブロック図である。本端末装置１は、受信部１０１、復調部１０２、復号部１０３、受信データ制御部１０４、物理レイヤ制御部１０５、送信データ制御部１０６、符号部１０７、変調部１０８、送信部１０９、無線リソース制御部１１０から少なくとも構成される。図中の「部」とは、セクション、回路、構成装置、デバイス、ユニットなど用語によっても表現される、端末装置１の機能および各手順を実現する要素である。
【００８０】
無線リソース制御部１１０は、端末装置１の無線リソース制御を執り行うＲＲＣ（Ｒａｄｉｏ  Ｒｅｓｏｕｒｃｅ  Ｃｏｎｔｒｏｌ）層の各機能を実行するブロックである。また、受信データ制御部１０４と送信データ制御部１０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【００８１】
なお、端末装置１は、キャリア・アグリゲーション、および／またはデュアルコネクティビティによる複数の周波数（周波数帯、周波数帯域幅）またはセルの同一サブフレーム内での受信処理をサポートするために受信系のブロック（受信部１０１、復調部１０２、復号部１０３）、および複数の周波数（周波数帯、周波数帯域幅）またはセルにおける同一サブフレーム内での送信処理をサポートするために送信系のブロック（符号部１０７、変調部１０８、送信部１０９）を複数備える構成であってもよい。
【００８２】
また、端末装置１は、受信データ制御部１０４、物理レイヤ制御部１０５、送信データ制御部１０６、無線リソース制御部１１０を対応する基地局装置毎に複数備えることが可能な構成であってもよい。すなわち、端末装置１は、マスター基地局装置に対応する物理層、ＭＡＣ層、ＲＬＣ層、ＰＤＣＰ層と、セカンダリ基地局装置に対応する物理層、ＭＡＣ層、ＲＬＣ層、ＰＤＣＰ層とをそれぞれ備える構成でもよい。ただし、この場合でも端末装置１が備えるＲＲＣ層は一つであることが望ましい。
【００８３】
端末装置１の受信処理に関し、無線リソース制御部１１０より受信データ制御部１０４へ受信データ制御情報が入力され、物理レイヤ制御部１０５には各ブロックを制御するための制御パラメータである物理レイヤ制御情報が入力される。物理レイヤ制御情報は、受信制御情報と送信制御情報によって構成される端末装置１の無線通信制御に必要なパラメータ設定を含む情報である。
【００８４】
物理レイヤ制御情報は、基地局装置２から端末装置１に対して個別（ｄｅｄｉｃａｔｅｄ）に送信される無線接続リソース設定、セル固有の報知情報、またはシステムパラメータなどによって設定され、無線リソース制御部１１０が必要に応じて物理レイヤ制御部１０５へ入力する。物理レイヤ制御部１０５は、受信に関する制御情報である受信制御情報を、受信部１０１、復調部１０２、復号部１０３へ適切に入力する。
【００８５】
受信制御情報は、下りリンクスケジューリング情報として、受信周波数帯域の情報、物理チャネルと物理シグナルに関する受信タイミング、多重方法、無線リソース制御情報などの情報が含まれている。また、受信データ制御情報は、セカンダリセル不活性化タイマー情報、ＤＲＸ制御情報、マルチキャストデータ受信情報、下りリンク再送制御情報などを含む下りリンクの制御情報であり、ＭＡＣ層、ＲＬＣ層、ＰＤＣＰ層におけるそれぞれの下りリンクに関する制御情報が含まれている。
【００８６】
受信信号は、受信部１０１において受信される。受信部１０１は、受信制御情報で通知された周波数と周波数帯域に従って基地局装置２からの信号を受信する。受信された信号は復調部１０２へと入力される。復調部１０２は信号の復調を行う。復調部１０２は、復号部１０３へと復調後の信号を入力する。復号部１０３は、入力された信号を復号し、復号された各データ（下りリンクデータと下りリンク制御データ、下りリンクトランスポートブロックとも称す）を受信データ制御部１０４へと入力する。また、各データと共に基地局装置２から送信されたＭＡＣ制御要素も復号部１０３で復号され、関係するデータは受信データ制御部１０４へと入力される。
【００８７】
受信データ制御部１０４は、受信したＭＡＣ制御要素に基づく物理レイヤ制御部１０５の制御（例えば、セルの活性化／不活性化、ＤＲＸ制御、送信タイミング調整など）や、復号された各データをバッファリングし、再送されたデータの誤り訂正制御（ＨＡＲＱ）を行う。受信データ制御部１０４へ入力された各データは、関係するデータは無線リソース制御部１１０へと入力（転送）される。
【００８８】
また、端末装置１の送信処理に関し、無線リソース制御部１１０より送信データ制御部１０６へ送信データ制御情報が入力され、物理レイヤ制御部１０５には各ブロックを制御するための制御パラメータである物理レイヤ制御情報が入力される。物理レイヤ制御部１０５は、送信に関する制御情報である送信制御情報を、符号部１０７、変調部１０８、送信部１０９へ適切に入力する。送信制御情報は、上りリンクスケジューリング情報として、符号化情報、変調情報、送信周波数帯域の情報、物理チャネルと物理シグナルに関する送信タイミング、多重方法、無線リソース配置情報などの情報が含まれている。
【００８９】
また、送信データ制御情報は、ＤＴＸ制御情報、ランダムアクセス設定情報、上りリンク共用チャネル情報、論理チャネルプライオリティ情報、リソース要求設定情報、セルグループ情報、上りリンク再送制御情報、パワーヘッドルーム報告情報などを含む上りリンクの制御情報である。無線リソース制御部１１０は、複数のセルにそれぞれ対応した複数のランダムアクセス設定情報を送信データ制御部１０６に設定してもよい。
【００９０】
また、送信データ制御情報は、端末装置１に設定しているセルの構成の変更（追加、更新）と共に、変更したセル（セルグループ）に対して上りリンクの同期手順が必要であるか否かを送信データ制御部１０６が判断（決定、制御）するための情報が含まれてもよい。
【００９１】
また、無線リソース制御部１１０は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信データ制御情報に含まれる。
【００９２】
なお、複数の上りリンク送信タイミングの状態を管理する必要がある場合、送信データ制御部１０６は、複数のそれぞれのセル（またはセルグループ、ＴＡグループ）の上りリンク送信タイミングに対応する送信タイミング調整情報を管理する。リソース要求設定情報には、少なくとも最大送信カウンタ設定情報と無線リソース要求禁止タイマー情報とが含まれている。無線リソース制御部１１０は、複数のセルにそれぞれ対応した複数のリソース要求設定情報を送信データ制御部１０６に設定してもよい。
【００９３】
端末装置１で生起した送信可能な送信データ（上りリンクデータおよび／または上りリンク制御データ、上りリンクトランスポートブロックとも称す）は、無線リソース制御部１１０より任意のタイミングで送信データ制御部１０６に入力される。送信データ制御部１０６は、送信データが入力されたときに、送信データ制御部１０６内（図示せず）の上りリンクバッファに送信データを格納する。このとき、送信データ制御部１０６は、入力された送信データの量（上りリンクバッファ量）を計算する。また、送信データ制御部１０６は、入力された送信データが制御平面に属するデータなのか、ユーザ平面に属するデータなのかを論理チャネルから判別する機能を有してもよい。
【００９４】
送信データ制御部１０６は、バッファステータスレポートに関するトリガ条件が満たされたかどうかを判断し、バッファステータスレポートがトリガされた場合は、バッファステータスレポートに用いられるＭＡＣ制御要素を生成する。そして、送信データ制御部１０６は、入力された送信データの送信に必要な無線リソースが端末装置１に対して割り当てられているかを判断する。
【００９５】
また、送信データ制御部１０６は、スケジューリングリクエストのトリガの有無と、無線リソース割り当てとに基づいて、物理上りリンク共用チャネルＰＵＳＣＨ、物理上りリンク制御チャネル（ＳＲ−ＰＵＣＣＨ）を用いた無線リソース要求、または物理ランダムアクセスチャネルを用いた無線リソース要求のいずれか一つを選択し、選択したチャネルを送信するための制御処理を物理レイヤ制御部１０５に対して要求する。
【００９６】
また、符号部１０７は、送信制御情報に従って各データを適切に符号化し、変調部１０８へと入力する。
【００９７】
変調部１０８は、符号化された各データを送信するチャネル構造に基づいて適切な変調処理を行う。送信部１０９は、変調処理された各データを周波数領域にマッピングすると共に、周波数領域の信号を時間領域の信号へ変換し、既定の周波数の搬送波にのせて電力増幅を行う。送信部１０９は、また、無線リソース制御部１１０より入力されたセル毎（またセルグループ毎、ＴＡグループ毎）の送信タイミング調整情報に従って上りリンク送信タイミングを調整する。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【００９８】
図１において、その他の端末装置１の構成要素や、構成要素間のデータ（制御情報）の伝送経路については省略してあるが、端末装置１として動作するために必要なその他の機能を有する複数のブロックを構成要素として持つことは明らかである。例えば、無線リソース制御部１１０の上位には、コアネットワークとの制御を執り行うＮＡＳレイヤ部や、アプリケーションレイヤ部が存在している。
【００９９】
図２は、本発明の第１の実施形態による基地局装置２の一例を示すブロック図である。本基地局装置は、受信部２０１、復調部２０２、復号部２０３、受信データ制御部２０４、物理レイヤ制御部２０５、送信データ制御部２０６、符号部２０７、変調部２０８、送信部２０９、無線リソース制御部２１０、ネットワーク信号送受信部２１１から少なくとも構成される。図中の「部」とは、セクション、回路、構成装置、デバイス、ユニットなどの用語によっても表現される、基地局装置２の機能および各手順を実行する要素である。
【０１００】
無線リソース制御部２１０は、基地局装置２の無線リソース制御を執り行うＲＲＣ（Ｒａｄｉｏ  Ｒｅｓｏｕｒｃｅ  Ｃｏｎｔｒｏｌ）層の各機能を実行するブロックである。また、受信データ制御部２０４と送信データ制御部２０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【０１０１】
なお、基地局装置２は、キャリア・アグリゲーション、および／またはデュアルコネクティビティによる複数の周波数（周波数帯、周波数帯域幅）をサポートするために受信系のブロック（受信部２０１、復調部２０２、復号部２０３）、および送信系のブロック（符号部２０７、変調部２０８、送信部２０９）を複数備える構成であってもよい。また、受信データ制御部２０４、物理レイヤ制御部２０５、送信データ制御部２０６、無線リソース制御部２１０、ネットワーク信号送受信部２１１を複数備える構成であってもよい。
【０１０２】
無線リソース制御部２１０は、下りリンクデータと下りリンク制御データを送信データ制御部２０６へと入力する。送信データ制御部２０６は、端末装置１へ送信するＭＡＣ制御要素が存在する場合、ＭＡＣ制御要素と各データ（下りリンクデータまたは下りリンク制御データ）を符号部２０７へと入力する。符号部２０７は、入力されたＭＡＣ制御要素と各データを符号化し、変調部２０８へと入力する。変調部２０８は、符号化された信号の変調を行なう。
【０１０３】
また、変調部２０８で変調された信号は送信部２０９に入力される。送信部２０９は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【０１０４】
また、受信部２０１は、端末装置１から受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へと入力される。復号部２０３は、入力された信号を復号し、復号された各データ（上りリンクデータと上りリンク制御データ）を受信データ制御部２０４へと入力する。また、各データと共に端末装置１から送信されたＭＡＣ制御要素も復号部２０３で復号され、関係するデータは受信データ制御部２０４へと入力される。
【０１０５】
受信データ制御部２０４は、受信したＭＡＣ制御要素に基づく物理レイヤ制御部２０５の制御（例えば、パワーヘッドルーム報告に関する制御、バッファステータス報告に関する制御など）や、復号された各データをバッファリングし、再送されたデータの誤り訂正制御（ＨＡＲＱ）を行う。受信データ制御部２０４へ入力された各データは、関係するデータは無線リソース制御部２１０へと入力（転送）される。
【０１０６】
これら各ブロックの制御に必要な物理レイヤ制御情報は、受信制御情報と送信制御情報によって構成される基地局装置２の無線通信制御に必要なパラメータ設定を含む情報である。物理レイヤ制御情報は、上位のネットワーク装置（ＭＭＥやゲートウェイ装置（ＳＧＷ）、ＯＡＭなど）やシステムパラメータにより設定され、無線リソース制御部２１０が必要に応じて制御部２０４へ入力する。
【０１０７】
物理レイヤ制御部２０５は、送信に関連する物理レイヤ制御情報を送信制御情報として符号部２０７、変調部２０８、送信部２０９の各ブロックに入力し、受信に関連する物理レイヤ制御情報を受信制御情報として受信部２０１、復調部２０２、復号部２０３の各ブロックに適切に入力する。
【０１０８】
受信データ制御情報は、基地局装置２のＭＡＣ層、ＲＬＣ層、ＰＤＣＰ層のそれぞれに対する端末装置１の上りリンクに関する制御情報が含まれている。また、送信データ制御情報は、基地局装置２のＭＡＣ層、ＲＬＣ層、ＰＤＣＰ層のそれぞれに対する端末装置１の下りリンクに関する制御情報が含まれている。すなわち、受信データ制御情報と送信データ制御情報は、端末装置１毎に設定されている。
【０１０９】
ネットワーク信号送受信部２１１は、基地局装置２間あるいは上位のネットワーク装置（ＭＭＥ、ＳＧＷ）と基地局装置２との間の制御メッセージ、またはユーザデータの送信（転送）または受信を行なう。図２において、その他の基地局装置２の構成要素や、構成要素間のデータ（制御情報）の伝送経路については省略してあるが、基地局装置２として動作するために必要なその他の機能を有する複数のブロックを構成要素として持つことは明らかである。例えば、無線リソース制御部２１０の上位には、無線リソース管理（Ｒａｄｉｏ  Ｒｅｓｏｕｒｃｅ  Ｍａｎａｇｅｍｅｎｔ）部や、アプリケーションレイヤ部が存在している。
【０１１０】
図３は、本発明の第１の実施形態におけるセカンダリセルグループの設定手順に関する端末装置１の通信制御の一例を示すシーケンスチャート図である。
【０１１１】
図３において、端末装置１と基地局装置２は複数のセルを用いて接続されている状態である。また、基地局装置２は、基地局装置２−１と基地局装置２−２を含む。典型的には、基地局装置２−１はマクロセルを構成し、基地局装置２−２はスモールセルを構成する基地局装置２であるが、対応するセルの構成が限定されるわけではない。
【０１１２】
まず、マスター基地局装置である基地局装置２−１は、デュアルコネクティビティによる通信の開始を決定する。そして、セカンダリ基地局装置である基地局装置２−２のセル（セカンダリセルグループセル）を端末装置１に追加することを決定し、セカンダリセルグループ追加メッセージを生成して基地局装置２−２に送信する（ステップＳ１００）。
【０１１３】
基地局装置２−１は、セカンダリセルグループ追加メッセージに端末装置１の能力情報（ＵＥ  Ｃａｐａｂｉｌｉｔｙ）や、端末装置１に現在設定されているセル構成の情報や無線リソース情報、追加の候補対象となるセル情報などの必要な設定情報を含めて送信する。基地局装置２−１は、測定イベント報告またはＣＳＩ報告、セルの負荷状況などの情報のうち、一つまたは複数の組み合わせに基づいて追加の候補対象となるセルを決定することができる。また、基地局装置２−１は、これ以外の情報を用いて追加の候補対象となるセルを決定することもできる。
【０１１４】
基地局装置２−２は、セカンダリセルグループ追加メッセージを受信し、候補対象セルのいずれかが端末装置１に対して設定（追加）可能であれば、セカンダリセルグループ追加許可メッセージを生成して基地局装置２−１に送信する（ステップＳ１０１）。このとき、基地局装置２−２は、セカンダリセルグループ追加許可メッセージにおいて、少なくとも追加するセカンダリセルグループのセルに関する無線リソース設定（例えば、かかるセカンダリセルグループの報知情報、無線リソース共通設定情報、ランダムアクセス設定情報、物理上りリンク制御チャネル設定情報など）を含めて送信する。
【０１１５】
ランダムアクセス設定情報には、プリアンブル情報（個別プリアンブル（Ｄｅｄｉｃａｔｅｄ  Ｐｒｅａｍｂｌｅ））や物理ランダムアクセスチャネル送信用の無線リソース情報（電力調整パラメータや、最大プリアンブル再送回数など）や、ランダムアクセス手順に関するタイマー情報などが含まれる。
【０１１６】
基地局装置２−１は、セカンダリセルグループ追加許可メッセージに含まれる無線リソース設定をＲＲＣ接続再設定メッセージに含めて端末装置１に送信する（ステップＳ１０２）。かかるＲＲＣ接続再設定メッセージには、追加するセカンダリセルグループのセル（プライマリセカンダリセル）の設定が少なくとも含まれている。ＲＲＣ接続再設定メッセージは、レイヤ３メッセージであり、例えばＲＲＣＣｏｎｎｅｃｔｉｏｎＲｅｃｏｎｆｉｇｕｒａｔｉｏｎメッセージである。
【０１１７】
端末装置１は、ＲＲＣ接続再設定メッセージを受信した場合に一連の設定手順を開始し、ＲＲＣ接続再設定メッセージに含まれるセカンダリセルグループの設定情報に従って基地局装置２−２のセル（セカンダリセルグループ）を設定する（ステップＳ１０３）。
【０１１８】
ＲＲＣ接続再設定メッセージで通知される制御の内容がセカンダリセルグループの追加であれば、端末装置１は、基地局装置２−１（マスターセルグループ）に対応するＭＡＣ層（第１のＭＡＣ層）とＲＬＣ層（第１のＲＬＣ層）、ＰＤＣＰ層（第１のＰＤＣＰ層）の他に、基地局装置２−２（セカンダリセルグループ）に対応するＭＡＣ層（第２のＭＡＣ層）とＲＬＣ層（第２のＲＬＣ層）、ＰＤＣＰ層（第２のＰＤＣＰ層）のそれぞれの設定（確立）に関する処理を行ってもよい。
【０１１９】
端末装置１は、ＲＲＣ接続再設定メッセージによる処理が終了した場合、ＲＲＣ接続再設定完了メッセージを基地局装置２−１へ送信する（ステップＳ１０４）。ＲＲＣ接続再設定完了メッセージは、レイヤ３メッセージであり、例えばＲＲＣＣｏｎｎｅｃｔｉｏｎＲｅｃｏｎｆｉｇｕｒａｔｉｏｎＣｏｍｐｌｅｔｅメッセージである。
【０１２０】
また、セカンダリセルグループとしてプライマリセカンダリセルを設定した端末装置１は、上りリンクの同期手順が必要な場合、基地局装置２−２に対するランダムアクセス手順を実施する（ステップＳ１０５）。上りリンクの同期手順が必要な場合とは、端末装置１に対してプライマリセカンダリセルが新規に追加される場合や、現在のプライマリセカンダリセルから別のプライマリセカンダリセルにハンドオーバー（変更）する場合、あるいは、それ以外の理由で基地局装置２が上りリンクの同期手順を必要とした場合である。
【０１２１】
ここで、基地局装置２が上りリンクの同期手順を必要とした場合、基地局装置２−１から送信されるＲＲＣ接続再設定メッセージを用いて、基地局装置２−２に対する上りリンクの同期手順が必要であるか否かを判断するための情報を端末装置１に明示的、または暗黙的に通知することができる。
【０１２２】
例えば、基地局装置２は、ＲＲＣ接続再設定メッセージにおいて、プライマリセカンダリセルとの上りリンク同期手順が必要であるか否かの情報（例えば、同期手順の要／不要を示す情報要素）を通知することによって、端末装置１に上りリンクの同期手順が必要であるか否かを通知することができる。
【０１２３】
また、例えば、基地局装置２は、ＲＲＣ接続再設定メッセージにおいて、設定するプライマリセカンダリセルが上りリンク同期手順が必要なセルであるか否かの情報（例えば、プライマリセカンダリセルが同期手順要求セル／同期手順不要セルであるかを示す情報要素）を通知することによって、端末装置１に上りリンクの同期手順が必要であるか否かを通知することができる。
【０１２４】
なお、端末装置１は、上りリンクの同期手順が要求された場合であっても、基地局装置２−２のセル（プライマリセカンダリセル）受信品質の測定結果がある閾値よりも下回っている場合、基地局装置２−２のセルに対するランダムアクセス手順を開始しなくてもよい。受信品質とは、例えば下りリンク参照信号から求まるＲＳＲＰやＲＳＲＱ、またはＲＳＳＩやパスロスである。端末装置１は、個別のＲＲＣメッセージまたは報知情報（システム情報）によって閾値が通知されてもよい。また、端末装置１は、個別のＲＲＣメッセージまたは報知情報（システム情報）によって通知される複数のパラメータを組み合わせることによって、閾値を求めてもよい。
【０１２５】
図３のステップＳ１０５におけるランダムアクセス手順の実行は、セカンダリセルグループ設定の一手順としてＲＲＣ層から下位レイヤ（ＰＤＣＰ層、ＲＬＣ層、ＭＡＣ層など）に対して指示される。また、端末装置１は、ランダムアクセス手順の成功または失敗に関係なく、ＲＲＣ接続再設定完了メッセージを基地局装置２−１に対して送信してよい。
【０１２６】
図４は、第１の実施形態に係る端末装置１のＲＲＣ層におけるＲＲＣ接続再設定手順の一例について示したフローチャート図である。端末装置１は、ＲＲＣ接続再設定メッセージを受信し、セカンダリセルグループのセルの追加または変更が必要である場合に、本フローチャートの手順を開始する。
【０１２７】
端末装置１は、受信したＲＲＣ接続再設定メッセージで通知される無線リソース設定に従って、セカンダリセルグループに関する設定を行う（ステップＳ２０１）。ここで、セカンダリセルグループ（プライマリセカンダリセル）に対する上りリンクの同期手順が必要である場合（ステップＳ２０２でＹｅｓ）、端末装置１のＲＲＣ層は、基地局装置２−２に対するランダムアクセス手順の開始をセカンダリセルグループに対応する下位レイヤ（第２のＭＡＣ層）に対して指示する（ステップＳ２０３）。
【０１２８】
基地局装置２は、端末装置１に対して上りリンクの同期手順が必要であることを示すために、上りリンクの同期手順が必要であることを示す情報を、情報要素（ＲＲＣパラメータ）としてＲＲＣ接続再設定メッセージに設定して通知することができる。例えば、（１）プライマリセカンダリセルとの上りリンク同期手順が必要であるか否かの情報、（２）上りリンク同期手順が必要なセルであるか否かの情報、などを用いることができる。
【０１２９】
（１）の場合、プライマリセカンダリセルの無線リソース設定（例えばランダムアクセス設定情報）に、同期手順の要／不要を示す情報要素が含まれる。端末装置１のＲＲＣ層は、同期手順が必要であることを示す情報が設定されていた場合、基地局装置２−２に対するランダムアクセス手順の開始をセカンダリセルグループに対応する下位レイヤ（第２のＭＡＣ層）に対して指示する。
【０１３０】
（２）の場合、報知情報やセル毎の無線リソース設定（例えばセルアクセス関連設定）に、同期手順要求セル／同期手順不要セルであるかを示す情報要素が含まれる。かかる情報要素は複数のセル情報（セルＩＤ、周波数、ＣＧＩなど）を含むリスト情報であってもよい。端末装置１のＲＲＣ層は、プライマリセカンダリセルが同期手順要求セルとして通知されていた場合、基地局装置２−２に対するランダムアクセス手順の開始をセカンダリセルグループに対応する下位レイヤ（第２のＭＡＣ層）に対して指示する。
【０１３１】
また、セカンダリセルグループ（プライマリセカンダリセル）に対する上りリンクの同期手順が必要であることを示す情報要素が設定されていない場合、あるいは、セカンダリセルグループに対する上りリンクの同期手順が不要であることを示す情報要素が設定されていた場合（ステップＳ２０２でＮｏ）、端末装置１のＲＲＣ層は、受信したＲＲＣ接続設定メッセージの応答であるＲＲＣ接続再設定完了メッセージを生成し、マスターセルグループに対応する下位レイヤ（第１のＰＤＣＰ層）に対してかかるＲＲＣ接続再設定完了メッセージを転送する（ステップＳ２０４）。
【０１３２】
なお、端末装置１のＲＲＣ層は、受信したＲＲＣ接続再設定メッセージで通知されたプライマリセカンダリセルの設定が、新規のプライマリセカンダリセルに対する設定であるとき、または、新規にプライマリセカンダリセルを追加（設定）する場合、暗黙的にセカンダリセルグループ（プライマリセカンダリセル）に対する上りリンクの同期手順が必要であると判断してもよい。
【０１３３】
この場合、端末装置１のＲＲＣ層は、受信したＲＲＣ接続再設定メッセージで通知されたプライマリセカンダリセルの設定が、設定済みの同一のプライマリセカンダリセルに対する設定（更新）である場合、暗黙的にセカンダリセルグループ（プライマリセカンダリセル）に対する上りリンクの同期手順が不要であると判断してもよい。
【０１３４】
または、端末装置１のＲＲＣ層は、ＲＲＣ接続再設定メッセージで、マスターセルグループ、または、セカンダリセルグループのセカンダリセルに対する設定（追加、更新）を受信した場合、暗黙的にセカンダリセルグループ（プライマリセカンダリセル）に対する上りリンクの同期手順が不要であると判断してもよい。
【０１３５】
端末装置１のＲＲＣ層は、ステップＳ２０３でランダムアクセス手順の開始をセカンダリセルグループに対応する下位レイヤ（第２のＭＡＣ層）に対して指示している場合、下位レイヤ（第２のＭＡＣ層）から通知される、基地局装置２−２に対するランダムアクセス手順の成功／失敗の結果の報告を待たずにステップＳ２０４の処理を開始してよい。
【０１３６】
なお、端末装置１のＲＲＣ層は、ステップＳ２０３でセカンダリセルグループに対応する下位レイヤ（第２のＭＡＣ層）に対してランダムアクセス手順の開始を指示する代わりに、セカンダリセルグループに対応する下位レイヤ（第２のＭＡＣ層）におけるスケジューリングリクエスト（ＳＲ）をトリガしてもよい。第２のＭＡＣ層は、端末装置１のＲＲＣ層からスケジューリングリクエストがトリガされた場合、スケジューリングリクエストについてトリガされた状態（ＳＲ  Ｐｅｎｄｉｎｇ状態とも称する）であると判断し、スケジューリングリクエスト手順を開始する。
【０１３７】
または、端末装置１のＲＲＣ層は、ステップＳ２０３でセカンダリセルグループに対応する下位レイヤ（第２のＭＡＣ層）に対してパワーヘッドルームをトリガし、更に、セカンダリセルグループに対応する下位レイヤ（第２のＭＡＣ層）におけるスケジューリングリクエスト（ＳＲ）をトリガしてもよい。
【０１３８】
また、基地局装置２は、ＲＲＣ接続再設定メッセージにおいて、設定するプライマリセカンダリセルの上りリンク同期手順（ランダムアクセス手順）に適用されるＲＲＣタイマー情報を通知してもよい。
【０１３９】
図５は、ＳＣＧ（プライマリセカンダリセル）に対するランダムアクセス手順を指示する場合の、端末装置１のＲＲＣ層における上りリンク同期手順の詳細を示したフローチャート図である。
【０１４０】
図５におけるステップＳ３０１での端末装置１の処理は、図４のステップＳ２０３と同様の処理を用いてよい。すなわち、端末装置１のＲＲＣ層は、ＳＣＧセル（プライマリセカンダリセル）に対して上りリンク同期手順が必要であると判断し、基地局装置２−２に対するランダムアクセス手順の開始（またはＳＲのトリガ）を下位レイヤ（第２のＭＡＣ層）に対して指示する。なお、端末装置１のＲＲＣ層は、ＲＲＣ接続再設定メッセージで通知されていた場合、個別プリアンブルなどのランダムアクセス設定情報を下位レイヤ（第２のＭＡＣ層）に対して通知している。
【０１４１】
ここで、端末装置１は、ＲＲＣ接続再設定メッセージで通知されたＲＲＣタイマーを起動（計時を開始）する。ＲＲＣタイマーは、ＳＣＧ同期処理タイマーとも称される。基地局装置２は、端末装置１毎に異なる個別のタイマー値をＲＲＣタイマーに設定することができる。端末装置１のＲＲＣ層は、ランダムアクセス手順の開始（またはＳＲのトリガ）を下位レイヤに対して指示した後にＲＲＣタイマーを起動してもよいし、ＲＲＣ接続再設定メッセージを受信したときにＲＲＣタイマーを起動してもよい。
【０１４２】
端末装置１のＲＲＣ層は、ステップＳ３０１で指示したランダムアクセス手順の成功が下位レイヤから通知された場合（ステップＳ３０２でＹｅｓ）、ＳＣＧに対する上りリンク同期手順が成功したと判断し（ステップＳ３０３）、処理を終了する。
【０１４３】
ステップＳ３０３において、端末装置１のＲＲＣ層は、ＲＲＣタイマーを停止（またはリリース）する。このとき、端末装置１のＲＲＣ層は、ランダムアクセス手順が成功するまで適用していなかった設定があれば、それぞれの設定を各下位レイヤに対して適用する。例えば、上りリンクの同期を必要とする上りリンクの物理チャネルや上りチャネルの物理シグナルに関する設定（ＣＱＩ報告設定、スケジューリングリクエスト設定、ＳＲＳ設定など）を適用してもよい。
【０１４４】
一方、端末装置１のＲＲＣ層は、ステップＳ３０１で指示したランダムアクセス手順の成功が下位レイヤ（第２のＭＡＣ層）から通知されていなければ（ステップＳ３０２でＮｏ）、起動したＲＲＣタイマーが満了したかどうかを判断する（ステップＳ３０４）。タイマーが満了していなければ、再びステップＳ３０２へ戻り、ＳＣＧに対するランダムアクセス手順の成功が下位レイヤ（第２のＭＡＣ層）から通知されているかどうかを判断する。
【０１４５】
ステップＳ３０４において、ＲＲＣタイマーが満了（Ｅｘｐｉｒｅ）した場合、端末装置１のＲＲＣ層は、ＳＣＧに対する上りリンク同期手順が失敗したと判断する（ステップＳ３０５）。ステップＳ３０５において、端末装置１はプライマリセカンダリセルに対するランダムアクセス手順を終了させてもよいし、また、上りリンクの物理チャネルや上りチャネルの物理シグナルに関する設定（ランダムアクセス設定、物理上りリンク制御チャネル設定、ＣＱＩ報告設定、スケジューリングリクエスト設定、ＳＲＳ設定など）をリリースしてもよい。
【０１４６】
また、端末装置１のＲＲＣ層は、かかるＲＲＣタイマーが計時している場合（稼働中、ランニング中）に、下位レイヤ（第２のＭＡＣ層）からランダムアクセスに関して問題が発生したことを示す情報、すなわち、ランダムアクセスのプリアンブルの送信回数のカウンタが基地局装置２から通知された最大送信回数に達したことを示す情報（random access problem indication）が通知されたとしても無視してよい。
【０１４７】
すなわち、ＲＲＣタイマーは、端末装置１のＲＲＣ層において、下位レイヤ（第２のＭＡＣ層）におけるプライマリセカンダリセルに対するランダムアクセス手順が成功したことを示す通知をどの時間（サブフレーム）まで待つかを示すものである。
【０１４８】
ただし、端末装置１のＲＲＣ層は、かかるＲＲＣタイマーが計時していない場合に、下位レイヤ（第２のＭＡＣ層）からランダムアクセスに関して問題が発生したことを示す情報が通知されたときは、プライマリセカンダリセルの上りリンク送信を停止するなどの処理を行う必要がある。
【０１４９】
このように構成することによって、端末装置１と基地局装置２は、セカンダリセルグループに関する設定手順として、基地局装置２−２に対する上りリンク同期手順の開始を指示することができるため、端末装置１と基地局装置２−２とを素早く通信可能な状態にすることができる。
【０１５０】
本実施形態の端末装置１は、デュアルコネクティビティ中におけるＳＣＧセルを介した基地局装置２（基地局装置２−２）との通信に関し、必要に応じて迅速に上りリンク同期手順を行う通信方法を実現することができる。また、本実施形態の基地局装置２は、デュアルコネクティビティ中におけるＳＣＧセルを介した端末装置１との通信に関し、必要に応じて端末装置１にランダムアクセス手順を迅速に開始させる通信方法を実現することができる。
【０１５１】
第１の実施形態によれば、端末装置１は、セカンダリセルグループのセルの設定（追加や変更）を行う場合に、基地局装置２から通知された情報要素に基づいて、かかるセカンダリセルグループのセル（プライマリセカンダリセル）に対して上りリンクの同期手順が必要であるかを判断し、必要に応じてプライマリセカンダリセルに対するランダムアクセス手順を開始する手段を備えるため、無線リソースを効率的に利用することができるようになると共に、設定手順に関する通信制御が効率化することができる。
【０１５２】
また、端末装置１は、プライマリセカンダリセルに対するランダムアクセス手順に関するタイマーに基づいてランダムアクセス手順の成功と失敗を判断する手段を備えるため、設定手順に関する通信制御を効率化することができる。
【０１５３】
また、基地局装置２は、端末装置１に対し、プライマリセカンダリセルに対するランダムアクセス手順が必要である場合に、セカンダリセルグループのセル（プライマリセカンダリセル）に対して上りリンクの同期手順が必要であるか否かを判断させる手段を備えるため、設定手順に関する通信制御が効率化することができる。
【０１５４】
また、基地局装置２は、端末装置１に対し、プライマリセカンダリセルに対するランダムアクセス手順に関するタイマーを送信し、端末装置１においてタイマーに基づくランダムアクセス手順の成功と失敗を判断させる手段を備えるため、設定手順に関する通信制御を効率化することができる。
【０１５５】
＜第２の実施形態＞
本発明の第２の実施形態について以下に説明する。
【０１５６】
第１の実施形態でランダムアクセス手順をＲＲＣ層からＭＡＣ層に対して指示しているのは、従来のＲＲＣ接続再設定手順において、ＭＡＣ層でバッファステータスレポートのトリガ条件を満たすことによってランダムアクセス手順が開始されることが保証されているのに対し、デュアルコネクティビティのＲＲＣ接続再設定手順において、セカンダリセルグループに対応するＭＡＣ層でバッファステータスレポートのトリガ条件を満たすことが保証されていないからである。
【０１５７】
そこで、第２の実施形態では、デュアルコネクティビティのＲＲＣ接続再設定手順において、バッファステータスレポートのトリガ条件を満たすことを保証し、従来の端末装置１の設定手順の変更を最小限にする通信制御を実現する。
【０１５８】
第２の実施形態の端末装置１と基地局装置２の構成は第１の実施形態と同じ構成でよいため説明を省略する。ただし、端末装置１の無線リソース制御部１１０は、バッファステータスレポートのトリガを設定する機能、またはバッファステータスレポートのトリガに関するタイマーを送信データ制御部１０６に設定する機能を備え、送信データ制御部１０６は、無線リソース制御部１１０から設定されたバッファステータスレポートのトリガ、または設定されたバッファステータスレポートのトリガに関するタイマーに基づいてバッファステータスレポートに関する一連の手順を実施する機能を備える。
【０１５９】
図６は、第２の実施形態に係る端末装置１のＲＲＣ層におけるＲＲＣ接続再設定手順の一例について示したフローチャート図である。端末装置１は、ＲＲＣ接続再設定メッセージを受信し、セカンダリセルグループのセルの追加または変更が必要である場合に、本フローチャートの手順を開始する。
【０１６０】
端末装置１は、受信したＲＲＣ接続再設定メッセージで通知される無線リソース設定に従って、セカンダリセルグループに関する設定を行う（ステップＳ４０１）。ここで、セカンダリセルグループ（プライマリセカンダリセル）に対する上りリンクの同期手順が必要である場合（ステップＳ４０２でＹｅｓ）、端末装置１のＲＲＣ層は、セカンダリセルグループに対応する下位レイヤ（第２のＭＡＣ層）に対してバッファステータスレポートをトリガすることを指示する（ステップＳ４０３）。例えば、端末装置１のＲＲＣ層は、セカンダリセルグループに対応する下位レイヤ（第２のＭＡＣ層）に対して従来のＲｅｇｕｌａｒ  ＢＳＲをトリガするように指示してもよい。
【０１６１】
ここで、基地局装置２は、端末装置１に対して上りリンクの同期手順が必要であることを示すために、上りリンクの同期手順が必要であることを示す情報（情報要素）をＲＲＣ接続再設定メッセージに明示的に設定して通知することができる。例えば、基地局装置２は、第１の実施形態で説明した情報要素を用いることによって上りリンクの同期手順が必要であることを示してもよい。また、例えば、基地局装置２は、バッファステータスレポートをトリガするか否かを示す情報要素を用いることによって、上りリンクの同期手順が必要であることを示してもよい。
【０１６２】
また、セカンダリセルグループ（プライマリセカンダリセル）に対する上りリンクの同期手順が必要であることを示す情報要素が設定されていない場合、あるいは、セカンダリセルグループに対する上りリンクの同期手順が不要であることを示す情報要素が設定されていた場合（ステップＳ４０２でＮｏ）、端末装置１のＲＲＣ層は、受信したＲＲＣ接続設定メッセージの応答であるＲＲＣ接続再設定完了メッセージを生成し、マスターセルグループに対応する下位レイヤ（第１のＰＤＣＰ層）に対してかかるＲＲＣ接続再設定完了メッセージを転送する（ステップＳ４０４）。
【０１６３】
なお、端末装置１のＲＲＣ層は、受信したＲＲＣ接続再設定メッセージで通知されたプライマリセカンダリセルの設定が、新規のプライマリセカンダリセルに対する設定であるとき、または、新規にプライマリセカンダリセルを追加（設定）する場合、暗黙的にセカンダリセルグループ（プライマリセカンダリセル）に対する上りリンクの同期手順が必要であると判断してもよい。
【０１６４】
この場合、端末装置１のＲＲＣ層は、受信したＲＲＣ接続再設定メッセージで通知されたプライマリセカンダリセルの設定が、設定済みの同一のプライマリセカンダリセルに対する設定（更新）である場合、暗黙的にセカンダリセルグループ（プライマリセカンダリセル）に対する上りリンクの同期手順が不要であると判断してもよい。
【０１６５】
または、端末装置１のＲＲＣ層は、ＲＲＣ接続再設定メッセージで、マスターセルグループ、または、セカンダリセルグループのセカンダリセルに対する設定（追加、更新）を受信した場合、暗黙的にセカンダリセルグループ（プライマリセカンダリセル）に対する上りリンクの同期手順が不要であると判断してもよい。
【０１６６】
また、基地局装置２は、ＲＲＣ接続再設定メッセージではなく、ＭＡＣ制御要素を用いて上りリンクの同期手順が必要であることを示す情報を端末装置１に通知してもよい。
【０１６７】
端末装置１のＲＲＣ層は、ステップＳ４０３でセカンダリセルグループに対応する下位レイヤ（第２のＭＡＣ層）に対してバッファステータスレポートのトリガを指示している場合、下位レイヤ（第２のＭＡＣ層）から通知される、基地局装置２−２に対するランダムアクセス手順の成功／失敗の結果の報告を待たずにステップＳ４０４の処理を開始してよい。
【０１６８】
なお、端末装置１のＲＲＣ層は、ステップＳ２０３でセカンダリセルグループに対応する下位レイヤ（第２のＭＡＣ層）に対してバッファステータスレポートのトリガを指示する代わりに、セカンダリセルグループに対応する下位レイヤ（第２のＭＡＣ層）におけるスケジューリングリクエスト（ＳＲ）をトリガしてもよい。第２のＭＡＣ層は、端末装置１のＲＲＣ層からスケジューリングリクエストがトリガされた場合、スケジューリングリクエストについてトリガされた状態（ＳＲ  Ｐｅｎｄｉｎｇ状態とも称する）であると判断し、スケジューリングリクエスト手順を開始する。
【０１６９】
また、端末装置１のＲＲＣ層は、ステップＳ２０３でセカンダリセルグループに対応する下位レイヤ（第２のＭＡＣ層）に対してバッファステータスレポートのトリガを指示する代わりに、セカンダリセルグループに対応する下位レイヤ（第２のＭＡＣ層）におけるＭＡＣタイマーの起動を指示してもよい。ＭＡＣタイマーが満了（Ｅｘｐｉｒｅ）した場合、第２のＭＡＣ層は、従来のＲｅｇｕｌａｒ  ＢＳＲをトリガしてもよいし、スケジューリングリクエスト（ＳＲ）をトリガしてもよいし、ランダムアクセス手順を開始してもよい。
【０１７０】
また、ＭＡＣタイマーが満了（Ｅｘｐｉｒｅ）する前に従来のＲｅｇｕｌａｒ  ＢＳＲがトリガされた場合、セカンダリセルグループに対応する下位レイヤ（第２のＭＡＣ層）は、ＭＡＣタイマーを停止し、セカンダリセルグループに対するバッファステータスレポートの報告手順を開始してもよい。
【０１７１】
また、ＭＡＣタイマーが満了（Ｅｘｐｉｒｅ）する前に物理下りリンク制御チャネルＰＤＣＣＨを用いてセカンダリセルグループに対するランダムアクセス手順の開始が要求された場合、セカンダリセルグループに対応する下位レイヤ（第２のＭＡＣ層）は、ＭＡＣタイマーを停止し、セカンダリセルグループに対するランダムアクセス手順を開始してもよい。
【０１７２】
このように構成することによって、端末装置１と基地局装置２は、セカンダリセルグループに関する設定手順として、従来のバッファステータスレポートの手順を利用することによって基地局装置２−２に対する上りリンク同期手順の開始を指示することができるため、端末装置１と基地局装置２−２とを素早く通信可能な状態にすることができる。
【０１７３】
本実施形態の端末装置１は、デュアルコネクティビティ中におけるＳＣＧセルを介した基地局装置２（基地局装置２−２）との通信に関し、必要に応じて迅速に上りリンク同期手順を行う通信方法を実現することができる。また、本実施形態の基地局装置２は、デュアルコネクティビティ中におけるＳＣＧセルを介した端末装置１との通信に関し、必要に応じて端末装置１にランダムアクセス手順を迅速に開始させる通信方法を実現することができる。
【０１７４】
第２の実施形態によれば、端末装置１は、セカンダリセルグループのセルの設定（追加や変更）を行う場合に、基地局装置２から通知された情報要素に基づいて、かかるセカンダリセルグループのセル（プライマリセカンダリセル）に対して上りリンクの同期手順が必要であるかを判断し、必要に応じてセカンダリセルグループに対応するＭＡＣ層においてバッファステータスレポートをトリガする手段を備えるため、無線リソースを効率的に利用することができるようになると共に、設定手順に関する通信制御が効率化することができる。
【０１７５】
また、基地局装置２は、端末装置１に対し、プライマリセカンダリセルに対するランダムアクセス手順が必要である場合に、セカンダリセルグループのセル（プライマリセカンダリセル）に対して上りリンクの同期手順が必要であるか否かを判断させる手段を備えるため、設定手順に関する通信制御が効率化することができる。
【０１７６】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータの名称は、説明の便宜上呼称しているものであって、実際に適用されるパラメータ名称と本発明の実施形態のパラメータ名称とが異なっていても、本発明の実施形態において主張する発明の趣旨に影響するものではない。
【０１７７】
また、例えば、端末装置１は、通信制御の更なる共通化や、実装および試験の簡略化などを目的として、プライマリセカンダリセルが設定された場合には常に基地局装置２−２のセルに対するランダムアクセス手順を開始するように構成されていてもよく、この場合、端末装置１は、上りリンクの同期手順の判断を行わなくてよい。
【０１７８】
また、端末装置１とは、可搬型あるいは可動型の移動局装置のみならず、屋内外に設置される据え置き型、または非可動型の電子機器、たとえば、携帯電話、パーソナルコンピューター、タブレット型端末、ＡＶ機器、キッチン機器、掃除・洗濯機器、空調機器、オフィス機器、自動販売機、その他生活機器や測定機器、車載装置、さらに身に着けることが可能なウェアラブル機器やヘルスケア機器などの通信機能を搭載したもの全てを含む。また、端末装置１は、人対人または人対機器の通信だけではなく、機器対機器の通信（Ｍａｃｈｉｎｅ  Ｔｙｐｅ  Ｃｏｍｍｕｎｉｃａｔｉｏｎ、マシンタイプ通信）や、デバイス対デバイスの通信（Ｄｅｖｉｃｅ  ｔｏ  Ｄｅｖｉｃｅ  Ｃｏｍｍｕｎｉｃａｔｉｏｎ；Ｄ２Ｄ）にも用いられる。
【０１７９】
端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置２は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１８０】
なお、基地局装置２は、３ＧＰＰが規定するＵＭＴＳにおいてＮＢと称され、ＥＵＴＲＡおよびＡｄｖａｎｃｅｄ  ＥＵＴＲＡにおいてｅＮＢと称される。なお、３ＧＰＰが規定するＵＭＴＳ、ＥＵＴＲＡおよびＡｄｖａｎｃｅｄ  ＥＵＴＲＡにおける端末装置１はＵＥと称される。
【０１８１】
また、説明の便宜上、実施形態の端末装置１および基地局装置２を機能的なブロック図を用いて、端末装置１および基地局装置２の各部の機能またはこれらの機能の一部を実現するための方法、手段、またはアルゴリズムのステップについて説明したが、これらは、ハードウェア、プロセッサによって実行されるソフトウェアモジュール、またはこれら２つを組み合わせたものによって、直接的に具体化され得る。
【０１８２】
もしハードウェアによって実行されるのであれば、端末装置１および基地局装置２は説明したブロック図の構成以外に端末装置１および基地局装置２へ電力を供給する給電装置やバッテリー、液晶などのディスプレイ装置及びディスプレイ駆動装置、メモリ、入出力インターフェース及び入出力端子、スピーカー、その他の周辺装置によって構成されてもよい。
【０１８３】
もしソフトウェアによって実行されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１８４】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なってもよい。なお、ここでいう「コンピュータシステム」とは、ＯＳや周辺機器等のハードウェアを含むものとする。
【０１８５】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。
【０１８６】
また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０１８７】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１８８】
また、上記プログラムは、前述した機能の一部を実現するためのものであってもよく、さらに、前述した機能をコンピュータシステムに既に記録されているプログラムとの組み合わせで実現できるものであってもよい。
【０１８９】
また、上記各実施形態に用いた端末装置１および基地局装置２の各機能ブロック、または諸特徴は、本明細書で述べられた機能を実行するように設計された汎用用途プロセッサ、デジタルシグナルプロセッサ（ＤＳＰ）、特定用途向けあるいは一般用途向けの集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。
【０１９０】
汎用用途プロセッサは、マイクロプロセッサであってもよいが、代わりにプロセッサは従来型のプロセッサ、コントローラ、マイクロコントローラ、またはステートマシンであってもよい。汎用用途プロセッサ、または上述した各回路は、デジタル回路で構成されていてもよいし、アナログ回路で構成されていてもよいし、デジタル回路とアナログ回路を組み合わせて構成されていてもよい。
【０１９１】
また、プロセッサはコンピューティングデバイスを組み合わせたものとして実装されてもよい。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０１９２】
以上、本発明の実施形態について具体例に基づいて詳述してきたが、本発明の各実施形態の趣旨ならびに特許請求の範囲は、これらの具体例に限定されないことは明らかであり、本発明の要旨を逸脱しない範囲の設計変更等も含まれる。また、本明細書の記載は例示説明を目的としたものであり、本発明の各実施形態に対して何ら制限を加えるものではない。
【０１９３】
また、本発明は、請求項および実施形態に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も本発明の技術的範囲に含まれる。
【０１９４】
この発明の一態様においては、第２の基地局装置のセルの設定手順において、第２の基地局装置のセル設定を含む無線リソース制御メッセージで通知される情報要素に基づいて第２の基地局装置に対して上りリンク同期手順が必要であるか否かを判断し、上りリンク同期手順が必要である場合に、第２の基地局装置に対するランダムアクセス手順を開始する、第１の基地局装置のセルと第２の基地局装置のセルとを少なくとも使用する端末装置である。
【０１９５】
また、本発明の実施形態における端末装置において、無線リソース制御メッセージで通知される情報要素は、セルの設定手順において、第２の基地局装置に対する上りリンク同期手順が必要であるか否かを示す。
【０１９６】
また、本発明の実施形態における端末装置において、無線リソース制御メッセージで通知される情報要素は、第２の基地局装置のセルが上りリンク同期手順を必要とするセルであるか否かを示す。
【０１９７】
また、本発明の実施形態における端末装置は、第２の基地局装置のセルの設定手順において、第２の基地局装置のセル設定を含む無線リソース制御メッセージで通知される情報要素に基づいて第２の基地局装置に対して上りリンク同期手順が必要であるか否かを判断し、上りリンク同期手順が必要である場合に、第２の基地局装置に対するバッファステータスレポートをトリガする、第１の基地局装置のセルと第２の基地局装置のセルとを少なくとも使用する端末装置である。
【０１９８】
このように構成することによって、端末装置は、セルの設定手順において効率的な通信制御を行うことができる。
【０１９９】
また、本発明の実施形態における基地局装置は、第１の基地局装置のセルグループのセルと第１の基地局装置と異なる第２の基地局装置のセルグループのセルとを使用する端末装置と接続し、端末装置に対するセルの設定手順において、第２の基地局装置のセルグループのセルに対して上りリンク同期手順が必要である場合に、無線リソース制御メッセージに対して第２の基地局装置のセルグループのセルに対して上りリンク同期手順が必要であることを示す情報要素を設定し、無線リソース制御メッセージを端末装置に送信する、基地局装置である。
【０２００】
また、本発明の実施形態における基地局装置は、無線リソース制御メッセージに対してタイマーを設定し、タイマーが満了するまで第２の基地局装置のセルグループのセルに対して実行される上りリンク同期手順の成功の通知を待つ。
【０２０１】
また、本発明の実施形態における基地局装置は、第１の基地局装置のセルグループのセルと第１の基地局装置と異なる第２の基地局装置のセルグループのセルとを使用する端末装置と接続し、端末装置に対するセルの設定手順において、第２の基地局装置のセルグループのセルに対して上りリンク同期手順が必要である場合に、無線リソース制御メッセージに対してバッファステータスレポートのトリガが必要であることを示す情報要素を設定し、無線リソース制御メッセージを端末装置に送信する、基地局装置である。
【０２０２】
このように構成することによって、基地局装置は、端末装置に対するセルの設定手順において効率的な通信制御を行うことができる。
【０２０３】
また、本発明の実施形態における通信システムは、端末装置において、第１の基地局装置のセルと第２の基地局装置のセルとを少なくとも使用し、基地局装置において、第２の基地局装置のセルグループのセルに対して上りリンク同期手順が必要である場合に、無線リソース制御メッセージに第２の基地局装置のセル設定に対して上りリンク同期手順が必要であることを示す情報要素を設定し、無線リソース制御メッセージを端末装置に送信し、端末装置において、無線リソース制御メッセージを受信し、第２の基地局装置のセルの設定手順において、情報要素に基づいて第２の基地局装置に対して上りリンク同期手順が必要であるか否かを判断し、上りリンク同期手順が必要である場合に、第２の基地局装置に対するランダムアクセス手順を開始する、端末装置と、端末装置と接続する基地局装置を備える通信システムである。
【０２０４】
また、本発明の実施形態における通信システムは、端末装置において、第１の基地局装置のセルと第２の基地局装置のセルとを少なくとも使用し、基地局装置において、第２の基地局装置のセルグループのセルに対して上りリンク同期手順が必要である場合に、無線リソース制御メッセージに第２の基地局装置のセル設定に対して上りリンク同期手順が必要であることを示す情報要素を設定し、無線リソース制御メッセージを端末装置に送信し、端末装置において、無線リソース制御メッセージを受信し、第２の基地局装置のセルの設定手順において、情報要素に基づいて第２の基地局装置に対して上りリンク同期手順が必要であるか否かを判断し、上りリンク同期手順が必要である場合に、第２の基地局装置に対するバッファステータスレポートをトリガする、端末装置と、端末装置と接続する基地局装置を備える通信システムである。
【０２０５】
このように構成することによって、端末装置と基地局装置を備える通信システムにおいて、セルの設定手順において効率的な通信制御を行うことができる。
【０２０６】
また、本発明の実施形態における通信方法は、第２の基地局装置のセルの設定手順において、第２の基地局装置のセル設定を含む無線リソース制御メッセージで通知される情報要素に基づいて第２の基地局装置に対して上りリンク同期手順が必要であるか否かを判断するステップと、上りリンク同期手順が必要である場合に、第２の基地局装置に対するランダムアクセス手順を開始するステップを、少なくとも備える、第１の基地局装置のセルと第２の基地局装置のセルとを少なくとも使用する端末装置の通信方法である。
【０２０７】
また、本発明の実施形態における通信方法は、第２の基地局装置のセルの設定手順において、第２の基地局装置のセル設定を含む無線リソース制御メッセージで通知される情報要素に基づいて第２の基地局装置に対して上りリンク同期手順が必要であるか否かを判断するステップと、上りリンク同期手順が必要である場合に、第２の基地局装置に対するバッファステータスレポートをトリガするステップを、少なくとも備える、第１の基地局装置のセルと第２の基地局装置のセルとを少なくとも使用する端末装置の通信方法である。
【０２０８】
このように構成することによって、端末装置の通信方式において、セルの設定手順において効率的な通信制御を行うことができる。
【０２０９】
また、本発明の実施形態における通信方法は、第１の基地局装置のセルグループのセルと、第１の基地局装置と異なる第２の基地局装置のセルグループのセルとを使用する端末装置と接続するステップと、端末装置に対するセルの設定手順において、第２の基地局装置のセルグループのセルに対して上りリンク同期手順が必要である場合に、無線リソース制御メッセージに対して第２の基地局装置のセルグループのセルに対して上りリンク同期手順が必要であることを示す情報要素を設定するステップと、無線リソース制御メッセージを端末装置に送信するステップを、少なくとも備える、第１の基地局装置のセルと第２の基地局装置のセルとを少なくとも使用する基地局装置の通信方法である。
【０２１０】
また、本発明の実施形態における通信方法は、第１の基地局装置のセルグループのセルと、第１の基地局装置と異なる第２の基地局装置のセルグループのセルとを使用する端末装置と接続するステップと、端末装置に対するセルの設定手順において、第２の基地局装置のセルグループのセルに対して上りリンク同期手順が必要である場合に、無線リソース制御メッセージに対してバッファステータスレポートのトリガが必要であることを示す情報要素を設定するステップと、無線リソース制御メッセージを端末装置に送信するステップを、少なくとも備える、第１の基地局装置のセルと第２の基地局装置のセルとを少なくとも使用する基地局装置の通信方法である。
【０２１１】
このように構成することによって、基地局装置の通信方式において、セルの設定手順において効率的な通信制御を行うことができる。
【０２１２】
また、本発明の実施形態における集積回路は、第２の基地局装置のセルの設定手順において、第２の基地局装置のセル設定を含む無線リソース制御メッセージで通知される情報要素に基づいて第２の基地局装置に対して上りリンク同期手順が必要であるか否かを判断する機能と、上りリンク同期手順が必要である場合に、第２の基地局装置に対するランダムアクセス手順を開始する機能とを、端末装置に対して少なくとも発揮させる、第１の基地局装置のセルと第２の基地局装置のセルとを少なくとも使用する端末装置に実装される集積回路である。
【０２１３】
また、本発明の実施形態における集積回路は、第２の基地局装置のセルの設定手順において、第２の基地局装置のセル設定を含む無線リソース制御メッセージで通知される情報要素に基づいて第２の基地局装置に対して上りリンク同期手順が必要であるか否かを判断する機能と、上りリンク同期手順が必要である場合に、第２の基地局装置に対するバッファステータスレポートをトリガする機能とを、端末装置に対して少なくとも発揮させる、第１の基地局装置のセルと第２の基地局装置のセルとを少なくとも使用する端末装置に実装される集積回路である。
【０２１４】
このように構成することによって、端末装置の集積回路において、セルの設定手順において効率的な通信制御を行うことができる。
【０２１５】
また、本発明の実施形態における集積回路は、第１の基地局装置のセルグループのセルと第１の基地局装置と異なる第２の基地局装置のセルグループのセルとを使用する端末装置と接続する機能と、端末装置に対するセルの設定手順において、第２の基地局装置のセルグループのセルに対して上りリンク同期手順が必要である場合に、無線リソース制御メッセージに対して第２の基地局装置のセルグループのセルに対して上りリンク同期手順が必要であることを示す情報要素を設定する機能と、無線リソース制御メッセージを端末装置に送信する機能とを、基地局装置に対して少なくとも発揮させる基地局装置に実装される集積回路である。
【０２１６】
また、本発明の実施形態における集積回路は、基地局装置に実装される集積回路であって、第１の基地局装置のセルグループのセルと第１の基地局装置と異なる第２の基地局装置のセルグループのセルとを使用する端末装置と接続する機能と、端末装置に対するセルの設定手順において、第２の基地局装置のセルグループのセルに対して上りリンク同期手順が必要である場合に、無線リソース制御メッセージに対してバッファステータスレポートのトリガが必要であることを示す情報要素を設定する機能と、無線リソース制御メッセージを端末装置に送信する機能とを、基地局装置に対して少なくとも発揮させる基地局装置に実装される集積回路である。
【０２１７】
このように構成することによって、基地局装置の集積回路において、セルの設定手順において効率的な通信制御を行うことができる。
【０２１８】
本明細書では、効率的な通信制御を行う端末装置、基地局装置、通信システム、通信方法および集積回路に関する技術という点において各実施形態を開示するが、各実施形態に対して適用可能な通信方式は、ＥＵＴＲＡまたはＡｄｖａｎｃｅｄ  ＥＵＴＲＡのようにＥＵＴＲＡと互換性のある通信方式に限定されるものではない。
【０２１９】
例えば、本明細書で述べられる技術は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、およびその他のアクセス方式等を用いた、種々の通信システムにおいて使用され得る。また、本明細書において、システムとネットワークは同義的に使用され得る。
【産業上の利用可能性】
【０２２０】
本発明は、携帯電話、パーソナル・コンピュータ、タブレット型コンピュータなどに適用できる。
【符号の説明】
【０２２１】
１  端末装置
２、２−１、２−２  基地局装置
１０１、２０１  受信部
１０２、２０２  復調部
１０３、２０３  復号部
１０４、２０４  受信データ制御部
１０５、２０５  物理レイヤ制御部
１０６、２０６  送信データ制御部
１０７、２０７  符号部
１０８、２０８  変調部
１０９、２０９  送信部
１１０、２１０  無線リソース制御部
２１１  ネットワーク信号送受信部
【図１】
0006504509.tif 000002
【図２】
0006504509.tif 000003
【図３】
0006504509.tif 000004
【図４】
0006504509.tif 000005
【図５】
0006504509.tif 000006
【図６】
0006504509.tif 000007
【図７】
0006504509.tif 000008